(57)【要約】      （修正有）【課題】マウスシールドの機能を備え、息苦しくなく、簡単な構造を有するフェイスシールドを提供する。【解決手段】フェイスシールド１０は、使用者の顔面を覆う柔軟なフェイスシールド部２と、装着ベルト２０と、フェイスシールド部の下端に連結されるマウスシールド部４を備える。フェイスシールド部の側部とマウスシールド部の側部は側部係合部１１、１４に設けられた面ファスナーテープ１２、１２’で係合する。フェイスシールド部の下端と使用者の顎または首の間の空間がマウスシールド部によって閉鎖されるために、使用者の飛沫が外部に飛散することが防止される。【選択図】図１
0003230250.tif 000002
【実用新案登録請求の範囲】
【請求項１】
使用者の顔面を覆う柔軟なフェイスシールド部と
前記フェイスシールド部を使用者の頭部に装着するための装着部と
前記フェイスシールド部の下端に連結され、前記フェイスシールド部の下端と使用者の顎の間を覆うための柔軟なマウスシールド部を備えることを特徴とするフェイスシールド。
【請求項２】
前記フェイスシールド部と前記マウスシールド部とが着脱可能に連結されていることを特徴とする請求項１に記載のフェイスシールド。
【請求項３】
前記フェイスシールド部と前記マウスシールド部が連結されている連結部に、ベルクロテープ対、またはスリットと該スリットに差し込まれる差し込み部が設けられていることを特徴とする請求項２に記載のフェイスシールド。
【請求項４】
前記フェイスシールド部の側部と前記マウスシールド部の側部に、当該側部同士を互いに係合するための側部係合部がそれぞれ設けられていることを特徴とする請求項１〜３のいずれか一項に記載のフェイスシールド。
【請求項５】
前記フェイスシールド部の側部係合部と前記マウスシールド部の側部係合部に、それぞれ、ベルクロテープ対またはスリットと該スリットに差し込まれる差し込み部が設けられていることを特徴とする請求項４に記載のフェイスシールド。
【考案の詳細な説明】
【技術分野】
【０００１】
本考案は、使用者の顔面のみならず口元から顎を覆うことができるフェイスシールドに関する。
【背景技術】
【０００２】
本考案は、マウスシールドの機能を備えたフェイスシールドに関する。
新型コロナウイルスなどの感染防止対策として、マスクのみならず、フェイスシールドやマウスシールドが使用されている。このうち、フェイスシールドはマスクに比べて息苦しさがなく、顔の表情が見えるために接待やイベント会場などの人と対面する状況において使用されている。
【０００３】
一般的なフェイスシールドは、顔の前面を覆ってはいるものの、フェイスシールドの下方が開放されているために、そこから使用者の飛沫が拡散される可能性はある。このため、フェイスシールドで顔を覆いつつもマスクをフェイスシールドの内側に着用する場合も見かける。しかし、このような使い方では、息苦しさは解消されず、特に、夏場はフェイスシールド内部が蒸して暑く、冬場はフェイスシールドが曇りやすくなる。マウスシールドとフェイスシールドの両方を着用することも考えられるが、煩雑であり、マウスシールドは口元の前面に突出しているためにフェイスシールドと衝突しやすくなる。
【考案の概要】
【考案が解決しようとする課題】
【０００４】
本考案は、フェイスシールドでありながら、マウスシールドの機能を備えた新規なフェイスシールドを提供することにある。また、本考案は、新型コロナウイルスなどのウイルスの感染対策をしつつも、息苦しくなく、簡単な構造を有する新規なフェイスシールドを提供することにある。
【０００５】
本考案に従えば、使用者の顔面を覆う柔軟なフェイスシールド部と
前記フェイスシールド部を使用者の頭部に装着するための装着部と
前記フェイスシールド部の下端に連結され、前記フェイスシールド部の下端と使用者の顎の間を覆うための柔軟なマウスシールド部を備えることを特徴とするフェイスシールドが提供される。
【０００６】
前記フェイスシールドにおいて、前記フェイスシールド部と前記マウスシールド部とが着脱可能に連結されていてもよい。この場合、前記フェイスシールド部と前記マウスシールド部が連結されている連結部に、ベルクロ（登録商標）テープ対または、スリットと該スリットに差し込まれる差し込み部が設けられていてもよい。
【０００７】
前記フェイスシールドにおいて、前記フェイスシールド部の側部と前記マウスシールド部の側部に、当該側部同士を互いに係合するための側部係合部がそれぞれ設けられていてもよい。この場合、前記フェイスシールド部の側部係合部と前記マウスシールド部の側部係合部に、それぞれ、ベルクロテープ対またはスリットと該スリットに差し込まれる差し込み部が設けられていてもよい。
【図面の簡単な説明】
【０００８】
【図１】第１実施形態のフェイスシールドの使用前の全体構成を示す図である。
【図２】図１に示したフェイスシールドのフェイスシールド部２の側部とマウスシールド部４の側部を係合した状態を示す側面図である。
【図３】図１及び図２に示したフェイスシールドを使用者が装着した状態を示す側面図である。
【図４】図１及び図２に示したフェイスシールドを使用者が装着した様子を示す斜視図である。
【図５】フェイスシールド部２からマウスシールド部４を着脱可能な第２実施形態のフェイスシールドの使用前の全体構成を示す図である。
【図６】第３実施形態のフェイスシールドの使用前の全体構成を示す図である。
【考案を実施するための形態】
【０００９】
フェイスシールドの第１実施形態を図１〜４を参照しながら説明する。フェイスシールド１０は、図１に示すように、概ね四角形状のフェイスシールド部２と、横長で概ね楕円形状のマウスシールド部４とを有する。フェイスシールド部２の下端中央部とマウスシールド部４の上端中央部が互いに連結部５で連続的につながっており、一体的な平面を構成している。フェイスシールド部２とマウスシールド部４は、ＰＥＴやアクリルなどの透明で屈曲性のある柔軟なプラスチックから構成されている。
【００１０】
フェイスシールド部２の内面の上端近傍には上パッド６が幅方向に沿って延在している。この明細書において、フェイスシールド部２及びマウスシールド部４に関して、「内面」とは装着時に使用者の顔に向かう面を言い、「外面」はその反対の面（外気に触れる面）を言い、幅方向または左右方向とは顔の横（左右）方向を意味する。
【００１１】
フェイスシールド部２の上端近傍であってその左右両側には、ベルト取り付け部７，７が設けられ、ベルト取り付け部７，７には、フェイスシールド１０を使用者の頭部に装着するためのベルト２０，２０がそれぞれ取り付けられている。ベルト２０，２０の先端付近には、互いに接合可能な雄雌のベルクロテープ対１６,１６’が取り付けられている。なお、ベルト２０，２０にはアジャスターなどの長さ調節機構を設けてもよい。
【００１２】
フェイスシールド部２の連結部５のやや上方の両側端近傍には、マウスシールド部４の側部と係合するための側部係合部１１が内面側に区画されており、側部係合部１１にはベルクロテープ１２（対の一方）が取りつけられている。
【００１３】
マウスシールド部４の両側端には、フェイスシールド部２の側部係合部１１と係合するための矩形の側部係合部１４が突出して設けられている。側部係合部１４の外面側には、ベルクロテープ１２’（対の他方）が取りつけられており、使用時にはフェイスシールド部２の側部に取り付けられたベルクロテープ１２と接合される。図２に、フェイスシールド部２の側部係合部１１とマウスシールド部４の側部係合部１４が、ベルクロテープ１２、１２’により連結された様子を示す。但し、図２は、フェイスシールド１０が使用者に装着される前の状態を示している。
【００１４】
マウスシールド部４の下端には、下パッド８が幅方向に沿って取りつけられている。下パッド８は、マウスシールド部４の下端の内面側を覆う部分８ａと下端の外面側を覆う部分８ｂにより構成されており、それらによりマウスシールド部４の下端を挟み込んでいる(図２参照)。下パッド８は、フェイスシールド１０の装着時に、使用者の顎及び首をマウスシールド部４の鋭利な下端から保護する。上パッド６と下パッド８は、いずれもスポンジやウレタン材料などの任意の材料から構成することができる。
【００１５】
上記のようなフェイスシールド１０を使用者に装着するには、図２に示したようにフェイスシールド部２の側部係合部１１とマウスシールド部４の側部係合部１４を互いにベルクロテープ１２、１２’で係合した後、上パッド６を額に当てて左右のベルト１０を頭に巻き付けてベルト１０のベルクロテープ１６，１６’同士を接合する。こうすることで、図３に示すように、フェイスシールド部２は顔面に沿って湾曲して顔前面を覆う。またマウスシールド部４は使用者の顎下から首を覆い、下パッド８は使用者の首元に位置する。
【００１６】
フェイスシールド１０を使用者に装着したときに、フェイスシールド部２の下端と使用者の顎または首の間の空間はマウスシールド部４によって閉鎖されるために、使用者の飛沫が外部に飛び出すことが防止される。また、マウスシールド部４は使用者の顎下に位置するので、マスクをつけた時のような息苦しさから開放される。さらに、図４に示すように、この具体例のフェイスシールド１０を装着しても、マウスシールド部２が殆ど目につかず、使用者の顔全体が外部から見えるために、一般的なフェイスシールドと外観は変わらず、デザイン的にも優れる。本実施形態のフェイスシールド１０は、フェイスシールド部２とマウスシールド部４が一枚の透明板から構成されており、全体に平坦で薄型であるので携帯に便利である。また、簡易な構造であるために製造も容易である。
【００１７】
＜第２実施形態＞
第１実施形態では、フェイスシールド部２とマウスシールド部４が一枚の透明板から構成された一体的型のフェイスシールドであったが、この実施形態ではフェイスシールド部２とマウスシールド部４が着脱可能なフェイスシールドを示す。図５に示したフェイスシールド３０は、フェイスシールド部２とマウスシールド部４が別体で形成されている。マウスシールド部４の中央上部には、フェイスシールド部２と連結する矩形の下側連結部４５が上方に突出するように設けられており、下側連結部４５にはベルクロテープ１７(対の一方)が付着されている。フェイスシールド部２の中央下端には、マウスシールド部４の下側連結部４５と連結する上側連結部２５が区画されており、そこにはベルクロテープ１７’(対の一方)が付着されている。
【００１８】
使用者は、マウスシールド部４が必要な時だけ、マウスシールド部４の下側連結部４５とフェイスシールド部２の上側連結部２５をベルクロテープ対１７、１７’を通じて連結させ、次いで、第１実施形態と同様にしてフェイスシールド部２の側部係合部１１とマウスシールド部４の側部係合部１４をベルクロテープに１２,１２’により係合した後に装着することができる。
【００１９】
このようにフェイスシールド部２からマウスシールド部４を着脱可能にすることによって、フェイスシールド部２だけで足りる状況、例えば、周囲に人がおらず一人で活動することができるときでは、マウスシールド部４を使用せずにより開放的な使い方ができる。すなわち、使用者は状況に応じてマウスシールド部４をフェイスシールド部２に対して着脱することができる。
【００２０】
この実施形態のフェイスシールド３０では、下側連結部４５及び上側連結部２５並びにそれらに付着されたベルクロテープ１７，１７’以外は、第１実施形態のフェイスシールドと同様であるので、同一の部材、構造及び効果についてはその説明を省略する。
【００２１】
＜第３実施形態＞
フェイスシールドの第３実施形態を、図６を参照しながら説明する。この実施形態のフェイスシールド４０は、フェイスシールド部２とマウスシールド部４の連結構造が異なる以外は、第２実施形態と同様である。図６に示すように、フェイスシールド部２の左右の側部係合部１１には縦長のスリット（切り欠き）３２が形成されている。マウスシールド部４の側部係合部１４は、このスリット３２に差し込み可能な矩形の差し込み部であり、スリット３２よりも長い横幅を有する。側部係合部１４がスリット３２に入るようにマウスシールド部４の側部係合部１４とマウスシールド部４の本体とは、スリット３２の長さよりも短い横幅の首部１４ａで接続されている。また、フェイスシールド部２の上側連結部２５には、横長のスリット４２が形成されており、このスリット４２に差し込まれる矩形の下側連結部５５がマウスシールド部４の中央の上端から突出している。下側連結部５５は、マウスシールド部４の本体とは首部５５ａで接続されている。スリット４２の長さは、首部５５ａの横幅より短く、下側連結部５５の横幅より長い。
【００２２】
フェイスシールド４０を使用するときに、使用者は、フェイスシールド部２のスリット４２にマウスシールド部４の下側連結部５５を差し込んで首部５５ａを通じて両者を固定させ、次いで、マウスシールド部４をフェイスシールド部２に対して屈曲させ、マウスシールド部４の側部係合部１４をスリット３２に差し込んで、首部１４ａを通じてフェイスシールド部２に固定させることができる。この実施形態では、マウスシールド部４の側部係合部１４とフェイスシールド部２の側部係合部１１と所定の形状に加工するだけでベルクロテープなどを使用することなく両者を簡単に結合できる。それゆえ、部品点数が少なく、製造が容易である。
【００２３】
第３実施形態で使用した、フェイスシールド部２のスリット３２とマウスシールド部４の側部係合部１４を第１実施形態のフェイスシールド部２とマウスシールド部４のベルクロテープ対１２、１２’に代えて採用してもよい。
【００２４】
上記実施形態において、本考案のフェイスシールドを具体的に説明してきたが、それらに限らず、実用新案登録請求の範囲に記載された範囲で当業者が想い付く変形や改変は、本考案の範囲内に含まれることは言うまでもない。例えば、フェイスシールド部２やマウスシールド部４、上パッド６、下パッド８などの構成部品の形状、寸法、構成材料は適宜変更することができる。例えば、第１実施形態及び第２実施形態では、側部係合部１１，１４や上側連結部２５、下側連結部４５にベルクロテープを用いたが、これに代えて、磁石、フォック（ボタン）、かしめ等の任意の着脱可能な結合部材を用い得る。また、スリット３２の切り込み位置や形状も任意に変調整可能である。上パッド６、下パッド８は必ずしも取り付けなくてもよい。マウスシールド部４は、フェイスシールド部４よりも柔軟な部材から構成してもよく、半透明で着色されていてもよい。上記実施形態において、フェイスシールド部を使用者の頭部に装着するための部材としてベルトを用いたが、ベルトに代えて、リング型や半リング型に成形した樹脂部材を用いてもよい。なお、使用者の頭部に装着するとは、耳に掛けるような場合も含む。
【産業上の利用可能性】
【００２５】
本考案のフェイスシールドは、マウスシールドの機能も有するために、フェイスシールドの内側にマスクを装着することなく、使用者の飛沫の拡散を有効に防止することができ、使用者にとっても快適に活動することができる。また、マウスシールド部がフェイスシールド部から着脱可能なタイプのフェイスシールドは、状況に応じて使用者がマウスシールド部を外して口元をより開放的にすることができる。それゆえ、本考案のフェイスシールドは、使用者からの飛沫防止のみならず、空気中にウイルス、細菌、黄砂、灰などの異物が浮遊する状況下にあっても使用者の健康と安全を維持しつつ、人々のスポーツ競技や各種の練習、作業、接待を伴う経済活動に極めて有用となる。
【符号の説明】
【００２６】
２  フェイスシールド部、４  マウスシールド部、６  上パッド
７  ベルト取り付け部、８  下パッド
１２，１２’，１６，１７，１７’  ベルクロテープ
１１,１４  側部係合部、１４ａ,５５ａ  首部、２０  ベルト
２５  下側連結部、３２，４２  スリット、４５  上側連結部
１０，３０，４０  フェイスシールド
【図１】
0003230250.tif 000003
【図２】
0003230250.tif 000004
【図３】
0003230250.tif 000005
【図４】
0003230250.tif 000006
【図５】
0003230250.tif 000007
【図６】
0003230250.tif 000008
【手続補正書】
【提出日】令和2年11月5日(2020.11.5)
【手続補正１】
【補正対象書類名】実用新案登録請求の範囲
【補正対象項目名】全文
【補正方法】変更
【補正の内容】
【実用新案登録請求の範囲】
【請求項１】
使用者の顔面を覆う柔軟なフェイスシールド部と
前記フェイスシールド部を使用者の頭部に装着するための装着部と
前記フェイスシールド部の下端に連結され、前記フェイスシールド部の下端と使用者の顎の間を覆うための柔軟なマウスシールド部を備えることを特徴とするフェイスシールド。
【請求項２】
前記フェイスシールド部と前記マウスシールド部とが着脱可能に連結されていることを特徴とする請求項１に記載のフェイスシールド。
【請求項３】
前記フェイスシールド部と前記マウスシールド部が連結されている連結部に、面ファスナー、またはスリットと該スリットに差し込まれる差し込み部が設けられていることを特徴とする請求項２に記載のフェイスシールド。
【請求項４】
前記フェイスシールド部の側部と前記マウスシールド部の側部に、当該側部同士を互いに係合するための側部係合部がそれぞれ設けられていることを特徴とする請求項１〜３のいずれか一項に記載のフェイスシールド。
【請求項５】
前記フェイスシールド部の側部係合部と前記マウスシールド部の側部係合部に、それぞれ、面ファスナーまたはスリットと該スリットに差し込まれる差し込み部が設けられていることを特徴とする請求項４に記載のフェイスシールド。